(57)【要約】【課題】  操作対象機器側の設定を変更することなく、カーソルの移動を円滑に行うことができるとともに、極めて安価に性能の向上を図ることのできるリモコン装置を提供すること。【解決手段】  操作対象機器の画面に表示されたカーソルを移動させるカーソル移動指令を発信するリモコン装置１であって、前記カーソルの移動距離に対応する大きさのアナログ量を出力するアナログ入力手段３と、このアナログ入力手段３の前記アナログ出力の大きさに対応して前記カーソルの移動速度を可変制御して前記カーソル移動指令とするカーソル移動速度設定手段４とを有することを特徴とする。【選択図】      図１
2006109040.tif 000002
【特許請求の範囲】
【請求項１】
操作対象機器の画面に表示されたカーソルを移動させるカーソル移動指令を発信するリモコン装置であって、前記カーソルの移動距離に対応する大きさのアナログ量を出力するアナログ入力手段と、このアナログ入力手段の前記アナログ出力の大きさに対応して前記カーソルの移動速度を可変制御して前記カーソル移動指令とするカーソル移動速度設定手段とを有することを特徴とするリモコン装置。
【請求項２】
前記アナログ入力手段は、起倒自在なスティックと、スティックの傾斜角度の大きさに応じて出力電圧が変化するスイッチング素子とを有することを特徴とする請求項１に記載のリモコン装置。
【発明の詳細な説明】
【技術分野】
【０００１】
本発明は、種々の機器の遠隔操作に用いられるリモコン装置に係り、遠隔操作対象であるカーソルの移動速度を可変制御するのに好適なリモコン装置に関する。
【背景技術】
【０００２】
一般に、従来のリモコン装置においては、操作対象であるカーソルを移動させるためにディジタル信号を発信するディジタルスティックを用いていた。例えば、ゲーム機器においては、画像をテレビジョン等のＣＲＴに映し出し、画面切換え用やオプション選択用等のために画面上に表示されたカーソルを同じく画面上に表示されている目的のコンテンツ位置まで移動させて選択する操作が必要である。その際に、従来においては、リモコン装置に取付けられているディジタルスティックを倒すとともにその傾斜角度を調整して所定量のディジタル信号を発信して、カーソルを目的のコンテンツ位置まで移動させるようにしていた。具体的には、ディジタルスティックの操作においては、ディジタルスティックを１度倒して起こすと１度ＯＮされてカーソルが１つ移動し、ディジタルスティックを倒したままにすると一定時間ＯＮされているためにカーソルが一気に移動する。この動作を適宜に組合わせてカーソルを移動させている。
【０００３】
【特許文献１】特開平１１−２５２４０５号公報
【発明の開示】
【発明が解決しようとする課題】
【０００４】
しかしながら、従来のディジタルスティックを用いてカーソルの移動操作を行う場合には、次のような不都合があった。
【０００５】
例えば、カーソルを一気に移動させようとする場合においては、ディジタルスティックを倒してからカーソルが一気に移動開始するまでにタイムラグが発生していた。また、カーソルを２〜５個移動させる場合には、ディジタルスティックを何度も繰り返し倒したり起こしたりする必要があり、また、カーソルが目的位置を一度通り過ぎてから戻す必要がある等の煩雑な操作が必要であった。
【０００６】
この問題点を解消するためには、アナログ信号を発信させてカーソルの移動を行わせることが考えられるが、それを実現するためには、リモコン装置からテレビジョン等の操作対象機器に対して指令を通信するための特殊なフォーマットを用いたり、通信速度の高速化を図る必要があり、コストが非常に高くなるという問題点が予測されるものであった。
【０００７】
本発明は、これらの点に鑑みてなされたものであり、操作対象機器側の設定を変更することなく、カーソルの移動を円滑に行うことができるとともに、極めて安価に性能の向上を図ることのできるリモコン装置を提供することを目的とする。
【課題を解決するための手段】
【０００８】
前述した目的を達成するため、本発明のリモコン装置は、操作対象機器の画面に表示されたカーソルを移動させるカーソル移動指令を発信するリモコン装置であって、前記カーソルの移動距離に対応する大きさのアナログ量を出力するアナログ入力手段と、このアナログ入力手段の前記アナログ出力の大きさに対応して前記カーソルの移動速度を可変制御して前記カーソル移動指令とするカーソル移動速度設定手段とを有することを特徴とする。
【０００９】
このように形成されている本発明によれば、アナログ入力手段に入力することよってカーソルの所望の移動距離に対応したアナログ量を出力させると、カーソル移動速度設定手段が前記アナログ量に対応したカーソルの移動速度をもってカーソルを移動させるカーソル移動指令を発信し、操作対象機器のカーソルが円滑かつ応答性よく移動させられる。
【００１０】
また、本発明のリモコン装置においては、アナログ入力手段が、起倒自在なスティックと、スティックの傾斜角度の大きさに応じて出力電圧が変化するスイッチング素子とを有することを特徴とする。
【００１１】
このように形成されている本発明によれば、アナログ入力手段のスティックを傾斜させてスイッチング素子の出力電圧を可変制御することにより適正なアナログ出力を得ることができ、操作対象機器のカーソルを円滑かつ応答性よく移動させることができる。
【発明の効果】
【００１２】
本発明はこのように構成され作用するものであるので、操作対象機器側の設定を変更することなく、カーソルの移動を円滑に行うことができるとともに、極めて安価に性能の向上を図ることができる等の優れた効果を奏する。
【００１３】
具体的には、アナログ入力手段に入力することよってカーソルの所望の移動距離に対応したアナログ量を出力させると、カーソル移動速度設定手段が前記アナログ量に対応したカーソルの移動速度をもってカーソルを移動させるカーソル移動指令を発信し、操作対象機器のカーソルが円滑にかつ応答性よく移動させられる。
【００１４】
また、アナログ入力手段としてのスティックを傾斜させてスイッチング素子の出力電圧を可変制御することにより適正なアナログ出力を得ることができ、操作対象機器のカーソルを円滑にかつ応答性よく移動させることができる。
【発明を実施するための最良の形態】
【００１５】
以下、本発明のリモコン装置の実施形態について図１から図４について説明する。
【００１６】
図１から図３は本発明のリモコン装置の１実施形態を示す。
【００１７】
本実施形態のリモコン装置１は、図示しないテレビジョン等の表示画面を有する操作対象機器に対して、当該画面に表示されたカーソルを移動させるカーソル移動指令を発信するものであり、図１に示すように、ケース２にアナログ入力手段３とカーソル移動速度設定手段４とを備えている。アナログ入力手段３は、前記カーソルの移動距離に対応する大きさのアナログ量を出力するものである。カーソル移動速度設定手段４は、アナログ入力手段３のアナログ出力の大きさに対応してカーソルの移動速度を可変制御してカーソル移動指令を発するものであり、アナログ入力手段３のアナログ出力をデジタル出力に変換するＡＤ変換器５と、そのデジタル出力の大きさに応じてカーソルの移動速度を可変制御してカーソル移動指令を発するＣＰＵからなる制御手段６とを有している。この制御手段６の出力側には、カーソル移動指令を赤外線等として操作対象機器に対して発信するＬＥＤ等の発信手段７が接続されている。
【００１８】
アナログ入力手段３を図２および図３により更に説明すると、図２（ａ）および（ｂ）に示すようにＸ−Ｙ方向に起倒自在のスティック８とこのスティック８の下端部に一体成型されている十字状のレバー部９と、レバー部９の４カ所の端部によってそれぞれ下圧されてＯＮ・ＯＦＦ制御されるスイッチング素子１０とにより形成されている。このスイッチング素子１０はスティック８の傾斜角度の大きさに応じて出力電圧を変化させるように形成されている。
【００１９】
スイッチング素子１０を図３により更に説明すると、ケース２の上ケース１１の一部に形成した孔１１ａ部分に、スティック８と十字状のレバー部９とが支持されている。レバー部９の十字状の各端部の下面にはゴム等の絶縁性部材で形成された、弾性変形可能な弾性部材１３がそれぞれ配設されている。この弾性部材１３は、上部に押圧部１３ａを有し、この押圧部１３ａの下部に内部がドーム状の空洞部１３ｂが形成されている。そして、空洞部１３ｂの天井部にあたる押圧部１３ａの内面には、略円弧状で図示下方に突出する押圧面１３ｃが形成されている。また、弾性部材１３は、ドーム状の空洞部１３ｂの下部の外周部に取付桟部１３ｄが形成されている。そして、スティック８と十字状のレバー部９とは、レバー部９によって矢印Ａ方向に押圧操作しない非操作時においては、弾性部材１３によって上方に弾性付勢されている。この弾力によりスティック８は非操作時において起立状態に保持される。また、弾性部材１３の下方には、フィルム状で弾性変形可能なシート部材１４が配設され、このシート部材１４に弾性部材１３の取付桟部１３ｄが接着剤（図示せず）等により固着されている。なお、固着されずに位置決めされてもよい。あるいは、シート部材１４をゴム等で形成し、弾性部材１３と一体形成したものでも良い。前記シート部材１４は、弾性部材１３の押圧部１３ａと対向する位置の下面側に、抵抗体からなる可動電極１５が、スクリーン印刷等により形成されている。また、シート部材１４は、例えばケース２若しくは１１の下ケースからなる基材１６に載置されており、可動電極１５が位置する部分に、所定の開口寸法と深さの凹部１６ａが、例えば円形状の内壁１６ｂを有して形成されている。また、凹部１６ａ内には、固定電極１７が収納されて配設されている。この固定電極１７は、プレス等で打ち抜き形成した薄板状の金属プレート、あるいは絶縁フィルムの表面に導電性インク等を印刷形成したものからなっている。そして、シート部材１４が弾性変形することにより可動電極１５が、凹部１６ａ内に収納した固定電極１７に接離して導通可能になっている。また、基材１６と対向する側のシート部材１４の面（可動電極１５を形成した面）で、凹部１６ａが位置する部分に、凹部１６ａの内壁１６ｂより内側に内縁部１８ａを延出形成したスペーサ部材１８が形成されている。このスペーサ部材１８は、シート部材１４の可動電極１５から引き出される回路パターン（図示せず）上を絶縁被覆するレジスト膜と同材料からなり、その厚さ寸法が可動電極１５の厚さ寸法より厚く形成されている。また、スペーサ部材１８は、レジスト膜に限らず、絶縁フィルム等をシート部材１４と基材１６との間に配設したものでも良い。即ち、凹部１６ａが位置する部分のシート部材１４と基材１６との間には、凹部１６ａの内壁１６ｂより内側に内縁部１８ａを延出形成したスペーサ部材１８を配設したものであれば良い。そして、スイッチング素子１０は、可動電極１５と固定電極１７との間に、スイッチ回路が形成されており、可動電極１５が固定電極１７に接離することにより、スイッチ回路（図示せず）がＯＮ／ＯＦＦするようになっている。
【００２０】
このように形成されているスイッチング素子１０の動作は、スティック８を倒して１つのレバー部９を図３の矢印Ａの図示下方に押圧操作すると、レバー部９によって弾性部材１３の押圧部１３ａを押圧して弾性部材１３が弾性変形する。この弾性部材１３の弾性変形により、押圧部１３ａの略円弧状の押圧面１３ｃが下方のシート部材１４を図示下方に押圧する。すると、シート部材１４は、基材１６の凹部１６ａ側に弾性変形して、可動電極１５が固定電極１７に当接する。この時、押圧面１３ｃに押圧されるシート部材１４は、略円弧状の押圧面１３ｃに倣って弾性変形する。そのために、可動電極１５も略円弧状に変形し、最初に可動電極１５の略中央部が固定電極１７に当接して、可動電極１５と固定電極１７とが導通する。この可動電極１５と固定電極１７とが導通することにより、可動電極１５と固定電極１７との間のスイッチ回路がＯＮする。また、スイッチ回路がＯＮ後も、更にスティック８を倒して１つのレバー部９を矢印Ａ方向に押圧すると、略円弧状の押圧面１３ｃが、シート部材１４と可動電極１５とを介して平坦状の固定電極１７に倣って平坦状に弾性変形する。この押圧部１３ａが平坦状に弾性変形することにより、固定電極１７への可動電極１５の当接面積が変化する。このことにより、抵抗体からなる可動電極１５の抵抗値が変化し、この抵抗値の変化に対応してアナログ出力が可変自在となる。具体的には、図４に示すように、スティック８の傾斜角度を次第に大きくすることにより、レバー部９によって弾性部材１３の押圧部１３ａを下方に凹圧するストロークが増大すると、スイッチング素子１０の電圧出力が次第に低下するアナログ出力となる。
【００２１】
本発明においては、図４に示すように、スイッチング素子１０のストロークに対して反比例関係にあるアナログ出力である電圧出力を、カーソル移動速度設定手段４のＡＤ変換器５においてデジタル信号に変換し、その後制御手段６において、前記電圧出力の高い方から低い方に４分割してＬＥＶＥＬ１〜４とし、各ＬＥＶＥＬにおける１秒間に発信するカーソルの移動指令パルス（図示せず）の送信間隔を順に広・中・狭・最狭（即ち、カーソルの移動数が少、中、多、最多に相当）と可変制御して出力させるように形成されている。
【００２２】
次ぎに、本実施形態の作用を説明する。
【００２３】
操作対象機器であるテレビジョンの画面に、例えばテレビゲームの画像を表示させている状態において、同じく画面に表示されているカーソルを移動させる場合には、本実施形態のリモコン装置１のアナログ入力手段３のスティック８をカーソルを移動させる方向に傾斜させる。これによりレバー部９によって選択されたスイッチング素子１０の弾性部材１３の押圧部１３ａが図３の矢印Ａ方向に押圧されて、可動電極１５と固定電極１７とが接触してスイッチ回路がＯＮとされ、スティック８の傾斜角度の大きさに対応した電圧出力がカーソル移動速度設定手段４のＡＤ変換素子５に出力される。このＡＤ変換器５においてデジタル信号に変換された前記電圧出力は、その後制御手段６において、前記電圧出力の高さに対応するＬＥＶＥＬをＬＥＶＥＬ１〜４中から選択され、選択されたＬＥＶＥＬに対応する１秒間に発信するカーソルの移動指令パルスの送信間隔に従ってカーソルの移動指令パルスが出力され、その後発信手段７より操作対象機器に向けてカーソル移動指令として送信され、カーソルが所定量移動させられる。
【００２４】
このように本実施形態によれば、カーソルの所望の移動距離に対応してアナログ入力手段３のスティック８の傾斜角度を調整することによりスイッチング素子１０のアナログ量からなる電圧出力の大きさを適正に調整することができ、更に、カーソル移動速度設定手段４の制御手段６が前記電圧出力に対応したカーソルの移動速度をもってカーソルを移動させるカーソル移動指令を発信し、操作対象機器のカーソルが円滑にかつ応答性よく移動させられる。特に、カーソルの移動の応答性が早くなり、比較的少数の２〜５個の移動距離のカーソル移動も極めて円滑かつ確実に行わせることができる。更に、既存のあらゆる種類の操作対象機器側の設定を変更することなく本発明のリモコン装置を適用することができ、しかもカーソルの移動を円滑に行わせることができるので、極めて安価に性能の向上を図ることもできる。
【００２５】
従って、本実施形態によれば、従来の問題点であった、カーソルを一気に移動させようとする場合において、ディジタルスティックを倒してからカーソルが一気に移動開始するまでにタイムラグが発生することもなく、更に、カーソルを２〜５個移動させる場合には、ディジタルスティックを何度も繰り返し倒したり起こしたりする必要がなく、更に、カーソルが目的位置を一度通り過ぎてから戻す必要もない。
【００２６】
なお、本発明は、前述した実施の形態に限定されるものではなく、必要に応じて種々の変更が可能である。
【図面の簡単な説明】
【００２７】
【図１】本発明のリモコン装置の１実施形態を示すブロック図
【図２】アナログ入力手段の１実施形態を示し、（ａ）は平面図、（ｂ）は（ａ）のｂ−ｂ線に沿った断面図
【図３】本発明のスイッチング素子の１実施形態を示す断面図
【図４】スイッチング素子のストロークと電圧出力との関係を示す特性図
【符号の説明】
【００２８】
１  リモコン装置
３  アナログ入力手段
４  カーソル移動速度設定手段
６  制御手段
８  スティック
１０  スイッチング素子
【図１】
2006109040.tif 000003
【図２】
2006109040.tif 000004
【図３】
2006109040.tif 000005
【図４】
2006109040.tif 000006